(57)【要約】  ＧＵＩ提供方法及びそれを適用したデジタル機器が提供される。本ＧＵＩ提供方法は、ディスプレイに表示されたＧＵＩを操作するためのユーザ入力手段の操作開始位置にユーザが接近していると判断されると、ディスプレイに表示されたＧＵＩにガイドを表示する。それにより、ユーザはガイドを通じて自分の指が操作開始位置に接近していることを確認できるようになるため、ディスプレイだけを見て所望の命令を入力することができるようになる。
2013511763.tif 000002
【特許請求の範囲】
【請求項１】
ディスプレイに表示されたＧＵＩを操作するためのユーザ入力手段の操作開始位置にユーザが接近しているか否かを判断するステップと、
前記操作開始位置に前記ユーザが接近していると判断されると、前記ディスプレイに表示されたＧＵＩにガイドを表示するステップと
を含むことを特徴とするＧＵＩ提供方法。
【請求項２】
前記操作開始位置は、
前記ＧＵＩに現れたアイテムのうち、いずれか１つを選択するための操作のために、前記ユーザ入力手段で一番初めに操作すべき位置であることを特徴とする請求項１に記載のＧＵＩ提供方法。
【請求項３】
前記ガイドは、
前記ユーザが前記操作開始位置に接近していることをガイドするための表示情報であることを特徴とする請求項１に記載のＧＵＩ提供方法。
【請求項４】
前記ガイドは、
前記ユーザが前記操作開始位置を操作する場合に選択されるアイテム及び前記アイテムの周辺のうち、少なくともいずれか１つに現れることを特徴とする請求項１に記載のＧＵＩ提供方法。
【請求項５】
前記ユーザが前記操作開始位置を操作する場合に選択されるアイテムは、
前記ＧＵＩの中央部に現れたアイテムであることを特徴とする請求項４に記載のＧＵＩ提供方法。
【請求項６】
前記操作開始位置は、
前記ユーザ入力手段の中央部であることを特徴とする請求項１に記載のＧＵＩ提供方法。
【請求項７】
前記ガイドは、
前記ＧＵＩの中央部に現れることを特徴とする請求項６に記載のＧＵＩ提供方法。
【請求項８】
前記ユーザ入力手段の操作開始位置の数は、複数であり、
前記表示ステップにおいて表示可能なガイドの数は、前記操作開始位置の数と同一であることを特徴とする請求項１に記載のＧＵＩ提供方法。
【請求項９】
前記操作開始位置は、
前記ＧＵＩに現れた第１グループのアイテムのうち、いずれか１つを選択するための操作のために、前記ユーザ入力手段で一番初めに操作すべき第１操作開始位置と、
前記ＧＵＩに現れた第２グループのアイテムのうち、いずれか１つを選択するための操作のために、前記ユーザ入力手段で一番初めに操作すべき第２操作開始位置を含むことを特徴とする請求項７に記載のＧＵＩ提供方法。
【請求項１０】
前記ガイド表示が保持される状態で、前記ユーザが前記ユーザ入力手段をタッチすると、前記ＧＵＩに現れたアイテムのうち、いずれか１つをハイライトさせるステップを更に含むことを特徴とする請求項１に記載のＧＵＩ提供方法。
【請求項１１】
前記ユーザが前記ユーザ入力手段をタッチした後にドラッグ操作すると、ドラッグされた領域に基づいて前記ＧＵＩに現れたアイテムのうち、別の１つをハイライトさせるステップを更に含むことを特徴とする請求項１０に記載のＧＵＩ提供方法。
【請求項１２】
前記ユーザが前記ユーザ入力手段でタッチを解除すると、ハイライトされたアイテムを実行するステップを更に含むことを特徴とする請求項１１に記載のＧＵＩ提供方法。
【請求項１３】
前記アイテムは、テキストキーであり、
前記実行ステップは、ハイライトされたテキストキーに割り当てられたテキストを入力することを特徴とする請求項１に記載のＧＵＩ提供方法。
【請求項１４】
ＧＵＩが表示されるディスプレイと、
前記ディスプレイに表示されたＧＵＩを操作するためのユーザ入力手段と、
前記ユーザ入力手段の操作開始位置にユーザが接近しているかを検知するセンサと、
前記センサによって前記操作開始位置に前記ユーザが接近していると検知されると、前記ディスプレイに表示されたＧＵＩにガイドを表示する制御部と
を含むことを特徴とするデジタル機器。
【請求項１５】
前記操作開始位置は、
前記ＧＵＩに現れたアイテムのうち、いずれか１つを選択するための操作のために、前記ユーザ入力手段で一番初めに操作すべき位置であることを特徴とする請求項１４に記載のデジタル機器。
【請求項１６】
前記ガイドは、
前記ユーザが前記操作開始位置に接近していることをガイドするための表示情報であることを特徴とする請求項１４に記載のデジタル機器。
【請求項１７】
前記ガイドは、
前記ユーザが前記操作開始位置を操作する場合に選択されるアイテム及び前記アイテムの周辺のうち、少なくともいずれか１つに現れることを特徴とする請求項１４に記載のデジタル機器。
【請求項１８】
前記操作開始位置は、
前記ユーザ入力手段の中央部であることを特徴とする請求項１４に記載のデジタル機器。
【請求項１９】
前記ガイドは、
前記ＧＵＩの中央部に現れることを特徴とする請求項１８に記載のデジタル機器。
【請求項２０】
前記ユーザ入力手段の操作開始位置の数は、複数であり、
前記表示ステップにおいて表示可能なガイドの数は、前記操作開始位置の数と同一であることを特徴とする請求項１４に記載のデジタル機器。
【請求項２１】
ＧＵＩが表示されるディスプレイ部と、
前記ディスプレイ部に表示されたＧＵＩを操作するための外部のユーザ入力装置と通信する通信部と、
前記外部のユーザ入力装置の操作位置にユーザが接近しているか否かに対する情報が前記通信部を介して受信されると、前記受信された情報に基づいて前記ディスプレイ部に表示されたＧＵＩにガイドを表示するように制御する制御部と
を含むディスプレイ装置。
【請求項２２】
外部ディスプレイ装置と通信する通信部と、
前記外部ディスプレイ装置に表示されたＧＵＩを操作するためのユーザ入力部と、
前記ユーザ入力部の操作開始位置にユーザが接近しているかを検知するセンサ部と、
前記センサ部によって前記操作位置に前記ユーザが接近していると検知されると、それに対する情報を前記外部ディスプレイ装置に伝送するように前記通信部を制御する制御部と
を含むユーザ入力装置。
【発明の詳細な説明】
【技術分野】
【０００１】
本発明は、ＧＵＩ提供方法及びそれを適用したデジタル機器に関し、より詳細には、数字や文字などのテキストを入力し、所望のユーザ命令の入力に用いられるＧＵＩ提供方法及びそれを適用したデジタル機器に関する。
【背景技術】
【０００２】
デジタル機器に具備される機能は多様化しつつある一方で、消費者は小型のデジタル機器を望んでいる。デジタル機器の機能の多様化に伴い、無線インターネットの大衆化は、デジタル機器で数字だけでなく、文字などのテキストを入力しなければならないという状況を頻繁に作っている。
【０００３】
従って、デジタル機器に文字入力のためのキーが必要となるが、そのキーをデジタル機器に設けるとなると、消費者の求めるデジタル機器の小型化の妨げになるという問題点が生じる。
【０００４】
デジタル機器の小型化を追求しつつ、ユーザがより便利かつ直観的に、更に、エンターテイメントを感じつつテキストを入力することを可能とする方策への模索が求められる。
【発明の概要】
【発明が解決しようとする課題】
【０００５】
そこで、本発明は、上記問題に鑑みてなされたものであり、本発明の目的とするところは、ユーザがユーザ入力手段の操作開始位置に接近すると、ディスプレイに表示されたＧＵＩにガイドを表示するＧＵＩを提供する方法及びそれを適用したデジタル機器を提供することにある。
【課題を解決するための手段】
【０００６】
前記目的を達成するための本発明に係るＧＵＩ提供方法は、ディスプレイに表示されたＧＵＩを操作するためのユーザ入力手段の操作開始位置にユーザが接近しているか否かを判断するステップと、前記操作開始位置に前記ユーザが接近していると判断されると、前記ディスプレイに表示されたＧＵＩにガイドを表示するステップとを含む。
【０００７】
前記操作開始位置は、前記ＧＵＩに現れたアイテムのうち、いずれか１つを選択するための操作のために、前記ユーザ入力手段で一番初めに操作すべき位置であることが望ましい。
【０００８】
前記ガイドは、前記ユーザが前記操作開始位置に接近していることをガイドするための表示情報であることが望ましい。
【０００９】
前記ガイドは、前記ユーザが前記操作開始位置を操作する場合に選択されるアイテム及び前記アイテムの周辺のうち、少なくともいずれか１つに現れてよい。
【００１０】
前記ユーザが前記操作開始位置を操作する場合に選択されるアイテムは、前記ＧＵＩの中央部に現れたアイテムであることが望ましい。
【００１１】
前記操作開始位置は、前記ユーザ入力手段の中央部であることが望ましい。
【００１２】
前記ガイドは、前記ＧＵＩの中央部に現れることが望ましい。
【００１３】
前記ユーザ入力手段の操作開始位置の数は、複数であり、前記表示ステップにおいて表示可能なガイドの数は、前記操作開始位置の数と同一であってよい。
【００１４】
前記操作開始位置は、前記ＧＵＩに現れた第１グループのアイテムのうち、いずれか１つを選択するための操作のために、前記ユーザ入力手段で一番初めに操作すべき第１操作開始位置と、前記ＧＵＩに現れた第２グループのアイテムのうち、いずれか１つを選択するための操作のために、前記ユーザ入力手段で一番初めに操作すべき第２操作開始位置を含んでよい。
【００１５】
本ＧＵＩ提供方法は、前記ガイド表示が保持される状態で、前記ユーザが前記ユーザ入力手段をタッチすると、前記ＧＵＩに現れたアイテムのうち、いずれか１つをハイライトさせるステップを更に含むことが望ましい。
【００１６】
本ＧＵＩ提供方法は、前記ユーザが前記ユーザ入力手段をタッチした後にドラッグ操作すると、ドラッグされた領域に基づいて前記ＧＵＩに現れたアイテムのうち、別の１つをハイライトさせるステップを更に含むことが望ましい。
【００１７】
本ＧＵＩ提供方法は、前記ユーザが前記ユーザ入力手段でタッチを解除すると、ハイライトされたアイテムを実行するステップを更に含むことが望ましい。
【００１８】
前記アイテムは、テキストキーであり、前記実行ステップは、ハイライトされたテキストキーに割り当てられたテキストを入力してよい。
【００１９】
一方、本発明に係るデジタル機器は、ＧＵＩが表示されるディスプレイと、前記ディスプレイに表示されたＧＵＩを操作するためのユーザ入力手段と、前記ユーザ入力手段の操作開始位置にユーザが接近しているかを検知するセンサと、前記センサによって前記操作開始位置に前記ユーザが接近していると検知されると、前記ディスプレイに表示されたＧＵＩにガイドを表示する制御部とを含む。
【００２０】
前記操作開始位置は、前記ＧＵＩに現れたアイテムのうち、いずれか１つを選択するための操作のために、前記ユーザ入力手段で一番初めに操作すべき位置であることが望ましい。
【００２１】
前記ガイドは、前記ユーザが前記操作開始位置に接近していることをガイドするための表示情報であることが望ましい。
【００２２】
前記ガイドは、前記ユーザが前記操作開始位置を操作する場合に選択されるアイテム及び前記アイテムの周辺のうち、少なくともいずれか１つに現れてよい。
【００２３】
前記操作開始位置は、前記ユーザ入力手段の中央部であることが望ましい。
【００２４】
前記ガイドは、前記ＧＵＩの中央部に現れることが望ましい。
【００２５】
前記ユーザ入力手段の操作開始位置の数は、複数であり、前記表示ステップにおいて表示可能なガイドの数は、前記操作開始位置の数と同一であってよい。
【００２６】
一方、本発明に係る別の実施形態に係るディスプレイ装置は、ＧＵＩが表示されるディスプレイ部と、前記ディスプレイ部に表示されたＧＵＩを操作するための外部のユーザ入力装置と通信する通信部と、前記外部のユーザ入力装置の操作位置にユーザが接近しているか否かに対する情報が前記通信部を介して受信されると、前記受信された情報に基づいて前記ディスプレイ部に表示されたＧＵＩにガイドを表示するように制御する制御部とを含む。
【００２７】
なお、本発明の別の実施形態に係るユーザ入力装置は、外部ディスプレイ装置と通信する通信部と、前記外部ディスプレイ装置に表示されたＧＵＩを操作するためのユーザ入力部と、前記ユーザ入力部の操作開始位置にユーザが接近しているかを検知するセンサ部と、前記センサ部によって前記操作位置に前記ユーザが接近していると検知されると、それに対する情報を前記外部ディスプレイ装置に伝送するように前記通信部を制御する制御部とを含む。
【発明の効果】
【００２８】
以上で説明したように、本発明によると、ユーザがユーザ入力手段の操作開始位置に接近すると、ディスプレイに表示されたＧＵＩにガイドが現れるようになる。それにより、ユーザはガイドを通じて自分の指が操作開始位置に接近していることを確認できるようになるため、ディスプレイだけを見て所望の命令を入力することができるようになる。
【００２９】
更に、デジタル機器に設けるべき物理的なキーの数を最小限化することができるだけでなく、直観的な操作を通じて所望のアイテムを選択できるようになる。そして、本発明は、多様なＧＵＩに適用することができるため、活用性が高いというメリットがある。
【図面の簡単な説明】
【００３０】
【図１】本発明の適用可能なデジタル機器の外観を示す図である。
【図２】図１に示すデジタル機器からＧＵＩを提供する過程の説明に提供される図である。
【図３】タッチパッドの中央を開始地点として数字入力を行う方式の説明に提供される図である。
【図４】数字のキーパッド以外の他のＧＵＩを例示した図である。
【図５】図１に示すデジタル機器の詳細ブロック図である。
【図６】本発明の一実施形態に係るＧＵＩ提供方法の説明に提供されるフローチャートである。
【図７】領域／アイテムテーブルを例示した図である。
【図８】タッチパッドに２つの接近検知センサが設けられ、ディスプレイに表示可能なガイドの数も２つであるデジタル機器を例示した図である。
【図９】タッチパッドに４つの接近検知センサが設けられ、ディスプレイに表示可能なガイドの数も４つであるデジタル機器を例示した図である。
【図１０】本発明が適用可能なデジタルシステムを例示した図である。
【図１１】タッチパッドをハードボタンパッドに代用するデジタル機器を示す図である。
【図１２】図１に示すデジタル機器からＧＵＩを提供する過程の説明に提供される図である。
【図１３】タッチパッドの中央を開始地点として数字入力を行う方式の説明に提供される図である。
【図１４】タッチパッドの中央を開始地点として数字入力を行う方式の説明に提供される図である。
【図１５】タッチパッドの中央を開始地点として数字入力を行う方式の説明に提供される図である。
【図１６】タッチパッドの中央を開始地点として数字入力を行う方式の説明に提供される図である。
【図１７】数字のキーパッド以外の他のＧＵＩを例示した図である。
【図１８】数字のキーパッド以外の他のＧＵＩを例示した図である。
【図１９】タッチパッドに２つの接近検知センサが設けられ、ディスプレイに表示可能なガイドの数も２つであるデジタル機器を例示した図である。
【発明を実施するための形態】
【００３１】
以下に添付図面を参照しながら、本発明の好適な実施形態について詳細に説明する。
【００３２】
１．本発明が適用可能なデジタル機器
【００３３】
図１は、本発明が適用可能なデジタル機器の外観を示す図である。図１に示すように、本発明が適用可能なデジタル機器１００は、ディスプレイ１２０と、タッチパッド１４０及び接近検知センサ１５０を備える。
【００３４】
ディスプレイ１２０には、デジタル機器１００の機能実行結果とユーザ命令を入力するのに用いられるＧＵＩ（Ｇｒａｐｈｉｃａｌ  Ｕｓｅｒ  Ｉｎｔｅｒｆａｃｅ）が表示される。タッチパッド１４０は、タッチやドラッグなどのようなユーザ操作を受信するＰＵＩ（Ｐｈｙｓｉｃａｌ  Ｕｓｅｒ  Ｉｎｔｅｒｆａｃｅ）である。
【００３５】
接近検知センサ１５０は、タッチパッド１４０の下面に設けられているため、図１において点線で示されている。接近検知センサ１５０は、タッチパッド１４０の中央に設けられているため、ユーザの指がタッチパッド１４０の中央に接近しているか否かを検知するようになる。
【００３６】
２．デジタル機器におけるＧＵＩ提供方法
【００３７】
図２及び図１２は、図１に示すデジタル機器１００からＧＵＩを提供する過程の説明に提供される図である。
【００３８】
図２に示すように、ディスプレイ１２０に数字のキーパッドがＧＵＩとして表示された状態で、図１２に示すように、ユーザの指がタッチパッド１４０の中央に接近するとディスプレイ１２０に表示された数字キーのうちの「５番キー」にガイドが現れる。
【００３９】
ユーザの指がタッチパッド１４０の中央に接近しているか否かは、上述の接近検知センサ１５０によって検知される。ユーザの指がタッチパッド１４０の中央に接近している状態は、図１２の左側に示されたように、ユーザの指がタッチパッド１４０上にまだ接触していない状態である。
【００４０】
一方、図１２によると、ガイドは「５番キー」の外枠に現れることが分かる。このようなガイドは、ディスプレイ１２０に表示された数字のキーパッドを通じて数字入力を行ううえで、スタートとなる地点であるタッチパッド１４０の中央にユーザの指が位置していることをガイドする機能を行う。
【００４１】
以下では、タッチパッド１４０の中央を開始地点として数字入力を行う方式について、図３、１３ないし図１６を参照して詳細に説明する。
【００４２】
ガイドが示された状態でユーザがタッチパッド１４０をタッチすると、図３に示すように「５番キー」がハイライトされる。
【００４３】
ガイドは、ユーザの指がタッチパッド１４０の中央に接近している場合に現れると上述している。従って、「ガイドが示された状態でユーザがタッチパッド１４０をタッチ」する場合とは、「ユーザがタッチパッド１４０の中央をタッチする場合」を意味する。
【００４４】
図３に示すように、「５番キー」がハイライトされると、数字入力待ち受け状態となる。この状態で、ユーザは「５番キー」をスタートとして数字のキーパッドを操作し、所望の数字を入力できるようになる。具体的に、
１）ユーザが、図１３に示すように、タッチパッド１４０上で指を「５番キー」から「１番キー」に向かう方向にドラッグすると、「１番キー」がハイライトされ、タッチパッド１４０から指を離すと、「１」が入力されて数字入力ウィンドウには「１」が現れ、
２）ユーザが、図１４に示すように、タッチパッド１４０上で指を「５番キー」から「６番キー」に向かう方向にドラッグすると、「６番キー」がハイライトされ、タッチパッド１４０から指を離すと、「６」が入力されて数字入力ウィンドウには「６」が現れ、
３）ユーザが、図１５に示すように、タッチパッド１４０上で指を「５番キー」から「８番キー」に向かう方向にドラッグすると、「８番キー」がハイライトされ、タッチパッド１４０から指を離すと、「８」が入力されて数字入力ウィンドウには「８」が現れ、
４）ユーザが、図１６に示すように、タッチパッド１４０上で指を「５番キー」から「０番キー」に向かう方向にドラッグすると、「０番キー」がハイライトされ、タッチパッド１４０から指を離すと、「０」が入力されて数字入力ウィンドウには「０１」が現れるようになる。
【００４５】
一方、図示はしていないものの、ユーザが図３に示すように、タッチパッド１４０の中央をタッチして「５番キー」がハイライトされている状態で、タッチパッド１４０から指をそのまま離すと、「５」が入力されて数字入力ウィンドウには「５」が現れるようになる。
【００４６】
３．その他のＧＵＩに適用
【００４７】
上述したような数字のキーパッドはディスプレイ１２０を通じて提供可能なＧＵＩの一例に該当する。本発明の技術的な思想は数字のキーパッド以外の他のＧＵＩにも適用可能である。
【００４８】
図４には、ユーザの指がタッチパッド１４０の中央に位置する場合、「ＪＫＬキー」にガイドが現れる英文字のキーパッドを例示しており、図１７には、ユーザの指がタッチパッド１４０の中央に位置する場合、
【数１】
2013511763.tif 000003
にガイドが現れるハングル語文字のキーパッドを例示している。
【００４９】
一方、本発明の技術的な思想は、数字や文字のようなテキスト入力のためのＧＵＩ以外の他のＧＵＩにも適用可能である。テキスト入力以外の他のＧＵＩを図１８に示している。
【００５０】
図１８には、ユーザの指がタッチパッド１４０の中央に位置する場合、
【数２】
2013511763.tif 000004
にガイドが現れるグラフィックコントローラを例示している。
【００５１】
４．デジタル機器の詳細構成
【００５２】
図１に示すデジタル機器は、多様な機器で実現される。例えば、図１に示す機器は、モバイルフォンやＭＰ３プレーヤやＰＭＰ、モバイルコンピュータ、ラップトップパソコンなどで実現されてよい。
【００５３】
図５は、図１に示すデジタル機器の詳細を示すブロック図である。図５に示すように、デジタル機器１００は、機能ブロック１１０と、ディスプレイ１２０と、制御部１３０と、タッチパッド１４０及び接近検知センサ１５０を備える。
【００５４】
機能ブロック１１０は、デジタル機器本来の機能を行う。１）例えば、デジタル機器１００がモバイルフォン１０であれば、機能ブロック１１０は電話通話及びＳＭＳ機能を担い、２）例えば、デジタル機器がＭＰ２プレーヤやＰＭＰであれば、機能ブロック１１０はコンテンツ再生機能を担い、３）例えば、デジタル機器がモバイルコンピュータ又はラップトップパソコンであれば、機能ブロック１１０はユーザが命令したアプリケーションの実行を通じてタスクを行う。
【００５５】
ディスプレイ１２０には、機能ブロックの機能／タスクの実行結果が表示される。タッチパッド１４０は、タッチやドラックなどのようなユーザ操作を受信する。そして、接近検知センサ１５０は、ユーザの指がタッチパッド１４０の中央に接近しているか否かを検知する。ディスプレイ１２０及び／又はパッド１４０は、タッチスクリーンで実現してよい。
【００５６】
制御部１３０は、ユーザが命令した機能が行われるように機能ブロック１１０を制御する。そして、制御部１３０は、ディスプレイ１２０を介してユーザにＧＵＩを提供する。
【００５７】
以下では、制御部１３０がＧＵＩを提供する過程について、図６を参照しながら詳細に説明する。図６は、本発明の一実施形態に係るＧＵＩ提供方法の説明に提供される図である。
【００５８】
図６に示すように、まず、制御部１３０はディスプレイ１２０にＧＵＩを表示する（Ｓ６１０）。ステップＳ６１０で提供されるＧＵＩは上述の数字のキーパッドや、英文字のキーパッド、ハングル語のキーパッド及びグラフィックコントローラだけでなく、その他のものでも可能である。
【００５９】
即ち、ＧＵＩは、複数個のアイテムを含むものであれば、いかなるものであってもかまわない。ここで、アイテムとは、ＧＵＩを構成する要素のうち、ユーザが選択可能な要素のことを意味する。上述の数字のキーパッドや、英文字のキーパッド、ハングル語文字のキーパッド及びコントローラキーだけでなく、アイコンやウィジェットなどのようなものも、ユーザが選択可能な要素であるため、アイテムの範疇に含まれる。
【００６０】
その後、接近検知センサ１５０は、タッチパッド１４０の中央にユーザの指が接近しているか否かを検知する（Ｓ６２０）。
【００６１】
ステップＳ６２０において、タッチパッド１４０の中央にユーザの指が接近していると検知されると（Ｓ６２０−Ｙ）、制御部１３０はＧＵＩの中央のアイテムにガイドを表示する（Ｓ６３０）。
【００６２】
中央のアイテムとは、ＧＵＩを構成するアイテムのうち、中央に現れたアイテムのことを意味する。ここで、中央とは、物理的に完全な中央を意味するものでないことに留意すべきである。即ち、物理的に完全な中央に現れたアイテムを特定できない場合には、中央部分に現れたアイテムのうち、いずれか１つを中央のアイテムと見なしてよい。
【００６３】
このような意味から、中央のアイテムとは、ＧＵＩに現れたアイテムを通じてユーザ命令入力を行ううえで、スタートとなるアイテムを意味することになる。
【００６４】
その後、中央のアイテムにガイド表示が保持される状態で（Ｓ６４０−Ｙ）、ユーザによってタッチパッド１４０がタッチされると（Ｓ６５０−Ｙ）、制御部１３０は中央のアイテムをハイライトさせる（Ｓ６６０）。
【００６５】
ガイドは、ユーザの指がタッチパッド１４０の中央に接近している場合に現れる。従って、「中央のアイテムにガイド表示が保持される状態で、ユーザによってタッチパッド１４０がタッチ」される場合とは、「ユーザがタッチパッド１４０の中央をタッチする場合」を意味する。
【００６６】
その後、タッチパッド１４０を介してユーザの指がドラッグ操作されると（Ｓ６７０−Ｙ）、制御部１３０は現在ユーザの指の位置したタッチパッド１４０上の領域に指定されたアイテムをハイライトする（Ｓ６８０）。
【００６７】
ステップＳ６８０を行うために、制御部１３０は現在ユーザの指の位置したタッチパッド１４０上の領域を判断し、領域／アイテムテーブルを参照して判断された領域に指定されたアイテムをハイライトするようになる。
【００６８】
領域／アイテムテーブルは、「タッチパッド１４０上の領域」と「ディスプレイ１２０に現れたアイテム」が一対一でマッチングされているテーブルとして、ＧＵＩ毎に定義されている。
【００６９】
図７には、領域／アイテムテーブルを例示している。領域／アイテムテーブルが、図７に示すような場合、
１）タッチパッド１４０上でユーザの指が“Ａ１”に位置している場合は、制御部１３０はディスプレイ１２０の“Ｉ１”に現れたアイテムをハイライトさせ、
２）タッチパッド１４０上でユーザの指が“Ａ２”に位置している場合は、制御部１３０はディスプレイ１２０の“Ｉ２”に現れたアイテムをハイライトさせ、
３）タッチパッド１４０上でユーザの指が“Ａ３”に位置している場合は、制御部１３０はディスプレイ１２０の“Ｉ３”に現れたアイテムをハイライトさせ、
…、
１５）タッチパッド１４０上でユーザの指が“Ａ１５”に位置している場合は、制御部１３０はディスプレイ１２０の“Ｉ１５”に現れたアイテムをハイライトさせる。
【００７０】
その後、タッチパッド１４０でユーザの指がタッチ解除されると（Ｓ６９０−Ｙ）、制御部１３０はハイライトされたアイテムを実行するようになる（Ｓ７００）。
【００７１】
仮に、ハイライトされたアイテムが、数字キーや英文字のキー、ハングル語文字のキーである場合、当該テキストが入力され、ハイライトされたアイテムがコントロールキーやアイコン、ウィジェットである場合、当該機能が実行される。
【００７２】
５．デジタル機器の変形例
【００７３】
これまで説明してきたデジタル機器１００には、タッチパッド１４０の中央に１つの接近検知センサ１５０が設けられた。なお、ユーザの指がタッチパッド１４０の中央に接近している場合に、ディスプレイ１２０に１つのガイドが表示されていた。
【００７４】
しかし、タッチパッド１４０に設けられる接近検知センサの数は２つ以上であってよく、ディスプレイ１２０に表示されるガイドの数は接近検知センサの数と同様に実現されてよい。
【００７５】
図８及び図１９には、タッチパッド１４０に２つの接近検知センサ１５０−１、１５０−２が設けられ、ディスプレイ１２０に表示可能なガイドの数も２つである場合を想定している。図示のように、ディスプレイ１２０の左側に現れている第１グループのアイテムのうちの中央のアイテムと、ディスプレイ１２０の右側に現れている第２グループのアイテムのうちの中央のアイテムとがそれぞれ現れていることが確認できる。
【００７６】
一方、図９には、タッチパッド１４０に４つの接近検知センサ１５１、１５２、１５３、１５４が設けられている場合を想定している。この場合、ディスプレイ１２０に表示可能なガイドの数も４つとなる。
【００７７】
只、図９においては、ユーザの指が接近検知センサ−１（１５１）と接近検知センサ−４（１５４）に接近しているため、それに指定されたアイテムである「Ａ」キーと「ＥＮＴＥＲ」キーにガイドが現れている様子を示している。
【００７８】
仮に、図９においては、ユーザの指が接近検知センサ−２（１５２）と接近検知センサ−３（１５３）に接近している場合、それに指定されたアイテムである「Ｆ」キーと「Ｊ」キーにガイドが現れるようになる。
【００７９】
６．本発明の適用可能なデジタルシステム
【００８０】
これまで、ディスプレイ１２０及びタッチパッド１４０が１つのデジタル機器１００内に設けられているものとして想定してきた。
【００８１】
しかし、ディスプレイ１２０とタッチパッド１４０が、それぞれ異なるデジタル機器に設けられる場合も想定可能であり、その場合、デジタル機器で構築されるデジタルシステムの場合でも、本発明の技術的な思想が適用可能である。
【００８２】
図１０には、ＧＵＩが表示されるディスプレイ２１０が設けられたＤＴＶ２００と下部に接近検知センサ３２０の位置するタッチパッド３１０が設けられているリモコン３００からなるデジタルシステムを示している。
【００８３】
図１０に示すデジタルシステムでは、ＤＴＶ２００とリモコン３００とが通信できるように接続される。リモコン３００はＤＴＶ２００に、１）タッチパッド１４０の中央にユーザの指の接近有無、２）タッチパッド１４０上におけるユーザの操作（タッチやドラックやタッチ解除など）の内容を伝達する。すると、ＤＴＶ２００は、リモコン３００から受信された情報に基づいて、ＧＵＩの表示状態を制御し、アイテムを実行させるようになる。
【００８４】
それにより上述した実施形態に係るディスプレイ装置（例えば、ＤＴＶ２００）は、ディスプレイ部２１０と、通信部（図示せず）及び制御部（図示せず）を含む。
【００８５】
ディスプレイ部２１０は、ＧＵＩを表示する。
【００８６】
通信部（図示せず）は、ディスプレイ部２１０に表示されたＧＵＩを操作するための外部のユーザ入力装置（例えば、リモコン３００）と通信する。
【００８７】
制御部（図示せず）は、外部のユーザ入力装置３００の操作位置にユーザが接近しているか否かに対する情報が通信部（図示せず）を介して受信されると、前記受信された情報に基づいてディスプレイ部２１０に表示されたＧＵＩにガイドを表示するように制御する。
【００８８】
なお、上述の実施形態に係るユーザ入力装置（例えば、リモコン３００）は、通信部（図示せず）と、ユーザ入力部３１０とセンサ部３２０及び制御部（図示せず）を含む。
【００８９】
通信部（図示せず）は、外部ディスプレイ装置２００と通信する。
【００９０】
ユーザ入力部３１０は、外部ディスプレイ装置２００に表示されたＧＵＩを操作するための機能を行う。
【００９１】
センサ部３２０は、ユーザ入力部３１０の操作開始位置にユーザが接近しているか否かを検知する。
【００９２】
制御部（図示せず）は、センサ部３２０によって操作位置にユーザが接近していると検知されると、それに対する情報を外部ディスプレイ装置２００に伝送するように通信部（図示せず）を制御する。
【００９３】
７．タッチパッドに代用可能なユーザ入力手段
【００９４】
上述では、ユーザ命令を入力する手段として、タッチパッド１４０を想定して説明してきた。しかし、タッチパッド１４０は、ユーザ入力手段の一例として、他のものに代用可能である。
【００９５】
図１１には、タッチパッド１４０をハードボタンパッド１６０に代用したデジタル機器１００を示している。図１１に示すように、ハードボタンパッド１６０の中央ボタンの下部にはユーザの指がハードボタンパッド１６０の中央に接近しているか否かを検知するための接近検知センサ１５０が設けられる。
【００９６】
接近検知センサ１５０によってユーザが検知されると、ディスプレイ１２０に現れる数字キーのうち、「５番キー」にガイドが現れるようになる。ユーザは接近検知センサ１５０の下部に設けられるハードボタンを基準に他のボタンを押す操作によって数字入力を行うことができる。
【００９７】
８．その他
【００９８】
（１）操作開始位置
【００９９】
タッチパッド１４０の中央にユーザの指が接近すると、ディスプレイ１２０に表示されたＧＵＩにガイドが現れるが、タッチパッド１４０の中央は操作開始位置に該当する。
【０１００】
操作開始位置は、ＧＵＩに現れたアイテムのうち、いずれか１つを選択するための操作のために、タッチパッド１４０で一番初めに操作すべき位置である。
【０１０１】
操作開始位置は、必ずしもタッチパッド１４０の中央となる必要はなく、タッチパッド１４０上の別の位置であってよい。
【０１０２】
（２）ガイド位置
【０１０３】
上記の実施形態において、ガイドはユーザが前記操作開始位置を操作する場合に選択されるアイテムの周辺に現れるものとして実現したが、それも例示的なものに過ぎない。
【０１０４】
アイテムの周辺でない、アイテムの内部にガイドが現れるようにすることも可能であり、その他の位置、例えば、ＧＵＩの中央部に現れるように実現することも可能である。
【０１０５】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０１０６】
１００  デジタル機器１１０  機能ブロック
１２０  ディスプレイ
１３０  制御部
１４０  タッチパッド
１５０、１５１、１５２、１５３、１５４  接近感知センサ
１６０  ハードボタンパッド
２００  外部ディスプレイシステム
２１０  ディスプレイ部
３００  リモコン
３２０  センサ部
【図１】
2013511763.tif 000005
【図２】
2013511763.tif 000006
【図３】
2013511763.tif 000007
【図４】
2013511763.tif 000008
【図５】
2013511763.tif 000009
【図６】
2013511763.tif 000010
【図７】
2013511763.tif 000011
【図８】
2013511763.tif 000012
【図９】
2013511763.tif 000013
【図１０】
2013511763.tif 000014
【図１１】
2013511763.tif 000015
【図１２】
2013511763.tif 000016
【図１３】
2013511763.tif 000017
【図１４】
2013511763.tif 000018
【図１５】
2013511763.tif 000019
【図１６】
2013511763.tif 000020
【図１７】
2013511763.tif 000021
【図１８】
2013511763.tif 000022
【図１９】
2013511763.tif 000023
【国際調査報告】
2013511763.tif 000024
2013511763.tif 000025